(57)【要約】【課題】ペーパータオルとしての吸水性を十分確保できる大きさを有していても、収納箱を大型化させることなく多数枚を積層して収納することができ、しかも、取り出しが容易で、取り出しの途中で破損する心配もないペーパータオル収納箱を提供する。【解決手段】ペーパータオルＰを所定形状に折り畳み、これを必要枚数積層した状態で収納し、かつ、天面２の中央部に開設されたペーパータオル取り出し用の穴４から最上部のペーパータオルＰを引き出し自在に収納してなるペーパータオル収納箱１の上記ペーパータオル取り出し用の穴４を、掌が挿入可能な大きさに形成し、上記折り畳まれたペーパータオルＰの折畳部上辺ＰＴＬが、ペーパータオル取り出し用の穴４に挿入された手の指先Ｆが引っ掛け可能な位置にセットされるように折り畳んで構成した。【選択図】図１
2005040331.tif 000002
【特許請求の範囲】
【請求項１】
ペーパータオルを所定形状に折り畳み、これを必要枚数積層した状態で収納し、かつ、天面部の中央部に開設されたペーパータオル取り出し用の穴から最上部のペーパータオルを引き出し自在に収納してなるペーパータオル収納箱であって、上記ペーパータオル取り出し用の穴を、掌が挿入可能な大きさに形成し、上記折り畳まれたペーパータオルの折畳部上辺が、ペーパータオル取り出し用の穴に挿入された手の指先が引っ掛け可能な位置にセットされるように折り畳まれていることを特徴とするペーパータオル収納箱。
【請求項２】
前記ペーパータオル取り出し用の穴は、掌が挿入可能な略楕円状に形成されていることを特徴とする請求項１に記載のペーパータオル収納箱。
【請求項３】
前記ペーパータオルは、収納箱の短辺よりも長い短辺と収納箱の長辺よりも長い長辺を有する長方形のクレープ紙、不織布、クレープ又は不織布とラミネート加工品からなる複合基材で形成され、該クレープ紙、不織布、クレープ又は不織布とラミネート加工品からなる複合基材の両長辺部を、少なくとも指一本の間隔を有してその両端部が向かい合うように折り込んだ後、上記クレープ紙、不織布、クレープ又は不織布とラミネート加工品からなる複合基材の下辺部を折り込んだ両長辺部と重なるように折り畳んだことを特徴とする請求項１又は請求項２のいずれかに記載のペーパータオル収納箱。
【発明の詳細な説明】
【技術分野】
【０００１】
この発明は、取り出しが容易となるように折り畳まれたペーパータオルを収納してなるペーパータオル収納箱に関する。
【背景技術】
【０００２】
従来のペーパータオル収納箱（ホルダ）としては、特許文献１や特許文献２に記載されているものが公知であり、これら収納箱（ホルダ）は、ロール状に巻装されたペーパータオルの最外層端部を、収納箱に開設されたスリット状の溝部や開口部から導出させ、この導出端部を引っ張って任意の長さまで引き出した後、ミシン目に沿ってペーパータオルを切断し、使用しているのが現状である。
【０００３】
【特許文献１】特開２００２−３４５６７８号公報
【０００４】
【特許文献２】特開平６−５４７７７号公報
【０００５】
しかしながら、上記従来のペーパータオル収納箱の構造にあっては、ロール状に巻装されたペーパータオルを用いるため、重量抵抗によって、引き出す時に往々にして所望ではない長さで切れてしまうという課題を有し、また、ワンアクションで所望の大きさのペーパータオルを入手することができない、といった課題を有していた。
【０００６】
このような課題を解決するためには、ティッシュペーパーのように、長方形状にカットされたペーパータオルを、ティッシュ箱のような収納箱に多数枚積層して収納し、ティッシュ箱のようなスリット溝から引き出す構造も考えられるが、ペーパータオルの場合、ティッシュペーパーのように薄くはなく、比較的厚く形成されているので、上記のようなスリット溝から簡単には引き出しにくく、途中で破れたりし易い、という問題を有しており、また、上記のような収納箱に収納できる大きさでは、ペーパータオルとしての吸水性を十分確保できる大きさではなく、これを確保するためには、ペーパータオルを大きく形成しなければならず、収納箱が大型化し、置き場所に困る、という問題をも有していた。
【発明の開示】
【発明が解決しようとする課題】
【０００７】
この発明は、かかる現状に鑑み創案されたものであって、その目的とするところは、ペーパータオルとしての吸水性を十分確保できる大きさを有していても、収納箱を大型化させることなく多数枚を積層して収納することができ、しかも、取り出しが容易で、取り出しの途中で破損する心配もないペーパータオル収納箱を提供しようとするものである。
【課題を解決するための手段】
【０００８】
上記目的を達成するため、請求項１に記載の発明にあっては、ペーパータオルを所定形状に折り畳み、これを必要枚数積層した状態で収納し、かつ、天面部の中央部に開設されたペーパータオル取り出し用の穴から最上部のペーパータオルを引き出し自在に収納してなるペーパータオル収納箱であって、上記ペーパータオル取り出し用の穴を、掌が挿入可能な大きさに形成し、上記折り畳まれたペーパータオルの折畳部上辺が、ペーパータオル取り出し用の穴に挿入された手の指先が引っ掛け可能な位置にセットされるように折り畳まれていることを特徴とするものである。
【０００９】
また、請求項２に記載の発明は、請求項１に記載の発明を前提とし、前記ペーパータオル取り出し用の穴を、掌が挿入可能な略楕円状に形成したことを特徴とするものである。
【００１０】
さらに、請求項３に記載の発明は、請求項１又は請求項２のいずれかに記載のペーパータオルを、収納箱の短辺よりも長い短辺と収納箱の長辺よりも長い長辺を有する長方形のクレープ紙、不織布、クレープ又は不織布とラミネート加工品からなる複合基材で形成され、該クレープ紙、不織布、クレープ又は不織布とラミネート加工品からなる複合基材の両長辺部を、少なくとも指一本の間隔を有してその両端部が向かい合うように折り込んだ後、上記クレープ紙、不織布、クレープ又は不織布とラミネート加工品からなる複合基材の下辺部を折り込んだ両長辺部と重なるように折り畳んだことを特徴とするものである。
【発明の効果】
【００１１】
以上説明したように、請求項１に記載の発明にあっては、ペーパータオルを所定形状に折り畳み、これを必要枚数積層した状態で収納し、かつ、天面部の中央部に開設されたペーパータオル取り出し用の穴から最上部のペーパータオルを引き出し自在に収納してなるペーパータオル収納箱の上記ペーパータオル取り出し用の穴を、掌が挿入可能な大きさに形成し、上記折り畳まれたペーパータオルの折畳部上辺が、ペーパータオル取り出し用の穴に挿入された手の指先が引っ掛け可能な位置にセットされるように折り畳んで構成したので、ペーパータオルとしての吸水性を十分確保できる大きさを有していても、収納箱を大型化させることなく多数枚を積層して収納することができ、しかも、取り出しが容易で、取り出しの途中で破損する心配もない、という効果が得られる。
【００１２】
また、請求項２に記載の発明にあっては、前記ペーパータオル取り出し用の穴を、掌が挿入可能な略楕円状に形成したので、掌や指を傷つける心配がなく、また、素早く、かつ、正確にペーパータオルを１枚づつ取り出すことができる。
【００１３】
さらに、請求項３に記載の発明にあっては、前記ペーパータオルを、収納箱の短辺よりも長い短辺と収納箱の長辺よりも長い長辺を有する長方形のクレープ紙、不織布、クレープ又は不織布とラミネート加工品からなる複合基材で形成され、該クレープ紙、不織布、クレープ又は不織布とラミネート加工品からなる複合基材の両長辺部を、少なくとも指一本の間隔を有してその両端部が向かい合うように折り込んだ後、上記クレープ紙、不織布、クレープ又は不織布とラミネート加工品からなる複合基材の下辺部を折り込んだ両長辺部と重なるように折り畳んで構成したので、ペーパータオルとしての吸水性を十分確保できる大きさにペーパータオルを形成したとしても、コンパクトに収納することができ、しかも、収納された後は、指が引っ掛かり易い部位が形成されるように折り畳まれているので、素早く。かつ、正確にペーパータオルを１枚づつ取り出すことができる。勿論、折り畳まれたペーパータオルは、そのまま使用したり、或は、広げて使用することで、様々な用途に用いることができ、使い勝手性が向上する、という効果も得られる。
【発明を実施するための最良の形態】
【００１４】
以下、添付図面に示す発明の実施の形態例に基づき、この発明を詳細に説明する。
【実施例１】
【００１５】
図１はこの発明の実施例１に係るペーパータオル収納箱を一部切欠して示す分解斜視図を、図２は同ペーパータオル収納箱の断面図を、図３は同ペーパータオル収納箱に積層収納されるペーパータオルの展開図を、図４は同ペーパータオルの長辺部を折り畳んだ状態を示す説明図を、図５は同ペーパータオルを折り畳んだ最終形態を示す説明図である。
【００１６】
この実施例に係るペーパータオル収納箱１は、積層されたペーパータオルＰを多数枚収納可能なように直方体に組み立てられており、短辺幅約３３５ｍｍ、長辺幅約４００ｍｍに形成された天面２には蓋３が設けられている。
【００１７】
蓋３は、天面２の中央部付近にほぼ掌が入る大きさの略楕円形ミシン目を入れることにより形成されており、このミシン目に沿って爪を入れることで、蓋３を天面２から図１に示すように切り離し、ペーパータオルＰの取り出し穴４を略楕円形状に開口することができる。
【００１８】
また、取り出し穴４は、図２に示すように、掌Ｈを挿入しペーパータオルＰを取り出すときに、エッジ部分が発生して怪我をする虞がないように、掌Ｈを、余裕を持って挿入することができる大きさと形状で形成されている。
【００１９】
次に、上記ペーパータオル収納箱１に所要枚数（本実施例では１００枚）、積層された状態で収納されるペーパータオルＰは、例えば、坪量５０ｇ／ｍ２のクレープ紙、不織布、クレープ紙又は不織布とラミネート加工品からなる複合基材で形成されており、図３に示すように、短辺部ＰＴＵ，ＰＴＬが各４１６ｍｍ、長辺部ＰＣＡ，ＰＣＢが４９０ｍｍの長方形状に形成されている。
【００２０】
このように形成されたペーパータオルＰは、図４に示すように、先ず、両長辺部ＰＣＡ，ＰＣＢを折れ線ａ，ｂに沿って折り曲げる。このとき、両長辺部ＰＣＡ，ＰＣＢは、少なくとも指一本の間隔Ｄを有してその両端部が向かい合うように折り畳まれる。
【００２１】
次に、上記の折り畳まれた状態から、折れ線ｃに沿って、下側短辺部ＰＴＬを、図５に示すように、折り畳まれた両長辺部ＰＣＡ，ＰＣＢと重なり合うように折り畳む。このとき、折り畳まれたペーパータオルの下側短辺部ＰＴＬは、上記開口されたペーパータオル取り出し用の穴４の長軸ｈのやや真下に位置し、挿入された手の指先Ｆ（図２参照）が引っ掛け可能な位置にセットされる長さに折り畳む。
【００２２】
このようにペーパータオルＰを折り畳むことで、これを取り出す場合には、ペーパータオル収納箱１の穴４に挿入された指Ｆを、上記のように折り畳まれてクレープ紙、不織布、クレープ又は不織布とラミネート加工品からなる複合基材の弾性により若干浮いている下側短辺部ＰＴＬに容易に引っ掛けることができ、その結果、ペーパータオルＰを容易に指に挟んで摘み出すことができる。
【００２３】
このようにして摘み出されたペーパータオルは、折り畳まれた状態のまま使用し、或は、展開して使用することができる。
【００２４】
また、この実施例１に用いられるペーパータオルＰは、ロール状に巻装される従来のペーパータオルよりも大きく形成されているので、ペーパータオルとしての吸水性を十分確保できる大きさを有していても、収納箱１を大型化させることなくコンパクトに収納することができ、しかも、ペーパータオルＰの取り出し用の穴４は、大きく開口しているので、ペーパータオルＰの取り出しが容易で、また、取り出しの途中で、ペーパータオルＰが引っ掛かって破損する心配もない、という効果が得られる。
【００２５】
尚、上記実施例１では、ペーパータオル取り出し用の穴４を、掌が挿入可能な略楕円状に形成した場合を例にとり説明したが、この発明にあってはこれに限定されるものではなく、ペーパータオルＰを容易に取り出すことができる大きさと形状を有していれば、その形状は自由である。
【産業上の利用可能性】
【００２６】
この発明に係るペーパータオル収納箱は、以上のように構成されているので、大きなサイズに裁断されたペーパータオルを小さく折り畳んでコンパクトに積層収納することができ、しかも、その折り畳み方に工夫を凝らせて、指掛りが容易となるようにしたので、迅速、かつ、正確にペーパータオルを１枚づつ引き出すことができ、しかも、十分な吸水性を得ることができるため、使い勝手性能を向上させることができる。
【図面の簡単な説明】
【００２７】
【図１】この発明の実施例１に係るペーパータオル収納箱を一部切欠して示す分解斜視図である。
【図２】同ペーパータオル収納箱の断面図である。
【図３】同ペーパータオル収納箱に積層収納されるペーパータオルの展開図である。
【図４】同ペーパータオルの長辺部を折り畳んだ状態を示す説明図である。
【図５】同ペーパータオルを折り畳んだ最終形態を示す説明図である。
【符号の説明】
【００２８】
Ｐ  ペーパータオル
ＰＴＵ，ＰＴＬ  短辺部
ＰＣＡ，ＰＣＢ  長辺部
ａ，ｂ，ｃ  折れ線
１  ペーパータオル収納箱
２  天面
３  蓋
４  ペーパータオル取り出し用の穴
【図１】
2005040331.tif 000003
【図２】
2005040331.tif 000004
【図３】
2005040331.tif 000005
【図４】
2005040331.tif 000006
【図５】
2005040331.tif 000007